(57)【要約】  移動刃物３０の刃先３０ａが固定刃物３２の刃先３２ａに対して傾斜するように相対向して配置され、移動刃物３０が固定され、移動刃物３０を固定刃物３２に対して相対的に移動させる移動ベース３６を備え、移動刃物３０は、短辺方向に沿った弾性力によって固定刃物３２に押し付けられており、移動ベース３６によって固定刃物３２に向かって移動させられることにより、固定刃物３２との間に置かれたシート状部材Ｗをせん断する。
2011161786.tif 000002
【特許請求の範囲】
【請求項１】
一方の刃物の刃先が他方の刃物の刃先に対して傾斜するように相対向して配置された移動刃物及び固定刃物と、
前記移動刃物が固定され、前記移動刃物を前記固定刃物に対して相対的に移動させる移動ベースと、を備え、
前記移動刃物は、短辺方向に沿った弾性力によって前記固定刃物に押し付けられており、前記移動ベースによって前記固定刃物に向かって移動させられることにより、前記固定刃物との間に置かれたシート状部材をせん断することを特徴とするシート状部材用カッター。
【請求項２】
請求項１に記載のシート状部材用カッターであって、
前記移動刃物は、長辺方向に亘って前記移動ベースに固定されていることを特徴とするシート状部材用カッター。
【請求項３】
請求項１又は２に記載のシート状部材用カッターであって、
前記移動刃物の厚みは、０．１ｍｍ以上１ｍｍ以下であることを特徴とするシート状部材用カッター。
【発明の詳細な説明】
【技術分野】
【０００１】
本発明は、往復移動刃物でシート状部材を切断するシート状部材用カッターに関する。
【背景技術】
【０００２】
シート状又はテープ状で厚さがあまり厚くない平面的な部材を切断するシート状部材用カッターが用いられている。この種のカッターに関連するものとして、例えば特許文献１が挙げられる。【０００３】
シート状部材用カッター１００は、図５に示すように、移動刃物１０及び固定刃物１２を備える。移動刃物１０は、その刃先１０ａの切り始め側が切り終り側より固定刃物１２に近くなるように、固定刃物１２の刃先１２ａに対して傾斜させて移動ベース１４に取り付けられている。移動刃物１０にはその両側から突出する支軸１０ｂが設けられている。移動刃物１０は、支軸１０ｂを軸として移動ベース１４に対して回転可能に保持される。さらに、移動刃物１０の刃先１０ａの切り始め側が固定刃物１２の端部から上方へ突出して設けられているガイド部１２ｂに圧接されるように、移動刃物１０を固定刃物１２へと付勢するスプリング１６が移動ベース１４に設けられる。【０００４】
このような構成において、移動ベース１４を固定刃物１２側へと押し下げることによって、移動刃物１０の刃先１０ａは、切り始め側から切り終り側に向かって固定刃物１２の刃先１２ａに順次押し当てられる。これによって、移動刃物１０と固定刃物１２との間に置かれたシート状部材Ｗを切断することができる。
【先行技術文献】
【特許文献】
【０００５】
【特許文献１】特開２００７−１０５８０８号公報
【発明の概要】
【発明が解決しようとする課題】
【０００６】
ところで、従来のシート状部材用カッターでは、移動刃物１０を固定刃物１２側へ付勢するために、図６の部分拡大側面図に示すようにスプリング１６を設けたり、図７の部分拡大側面図に示すように移動刃物１０を板バネ１８で移動ベース１４に固定したりする構造が採用されている。【０００７】
一方、シート状部材用カッターの製造コストを低減させるためには、スプリング１６や板バネ１８を用いるような複雑な構成は避け、より簡易な構成を実現することが望まれている。【０００８】
本発明は、上記課題を鑑み、従来より簡易な構成においてシート状部材を切断することを可能とするシート状部材用カッターを提供することを目的とする。
【課題を解決するための手段】
【０００９】
本発明の１つの態様は、一方の刃物の刃先が他方の刃物の刃先に対して傾斜するように相対向して配置された移動刃物及び固定刃物と、前記移動刃物が固定され、前記移動刃物を前記固定刃物に対して相対的に移動させる移動ベースと、を備え、前記移動刃物は、短辺方向に沿った弾性力によって前記固定刃物に押し付けられており、前記移動ベースによって前記固定刃物に向かって移動させられることにより、前記固定刃物との間に置かれたシート状部材をせん断することを特徴とするシート状部材用カッターである。【００１０】
ここで、前記移動刃物は、長辺方向に亘って前記移動ベースに固定されていることが好適である。【００１１】
また、前記移動刃物の厚みは、０．１ｍｍ以上１ｍｍ以下であることが好適である。
【発明の効果】
【００１２】
従来より簡易な構成においてシート状部材を切断することが可能となる。
【図面の簡単な説明】
【００１３】
【図１】本発明の一実施におけるシート状部材用カッターの形態を示す正面図である。
【図２】本発明の一実施におけるシート状部材用カッターの形態を示す内部側面図である。
【図３】本発明の一実施におけるシート状部材用カッターの作用を示す側面図である。
【図４】本発明の一実施におけるシート状部材用カッターの形態を示す内部側面図である。
【図５】従来のシート状部材用カッターの形態を示す（ａ）平面図、（ｂ）正面図及び（ｃ）内部側面図である。
【図６】従来のシート状部材用カッターの形態を示す拡大内部側面図である。
【図７】従来のシート状部材用カッターの形態を示す拡大内部側面図である。
【発明を実施するための形態】
【００１４】
本発明の実施の形態におけるシート状部材用カッター２００は、図１の正面図及び図２の内部側面図に示すように、移動刃物３０、固定刃物３２、移動刃物固定部３４、移動ベース３６、固定刃物固定部３８、固定ベース４０及び弾性部材４２を含んで構成される。
【００１５】
移動刃物３０は、長辺及び短辺を有する略短冊型の板状の弾性部材である。移動刃物３０は、下辺（長辺の一方）を刃先３０ａとし、上辺（長辺の他方）に沿って移動刃物固定部３４に固定される。このとき、図２に示すように、刃先３０ａが移動刃物固定部３４から固定刃物３２側へ突出するように固定される。
【００１６】
移動刃物３０を構成する材料は、少なくとも短辺方向に沿って弾性を有するものとする。例えば、金属を短冊状にした板状部材とすることができる。例えば、移動刃物３０は、ステンレスや非常に安価な焼入れ鋼帯で構成することができる。また、移動刃物３０の厚さは、短辺方向に弾性を持たせるために０．１ｍｍ以上１．０ｍｍ以下とすることが好適である。また、移動刃物３０の長辺の長さは必要な切断幅より若干長くすることが好適である。例えば、短いもので１０ｍｍ、長いもので３０００ｍｍとすることができる。短辺の長さは、弾性を持たせられる範囲で決定すればよい。例えば、厚み０．５ｍｍでは３５ｍｍ程度、厚み１ｍｍでは８０ｍｍ前後が好ましい。この寸法にすることによって、移動刃物３０の短辺方向の弾力性を効率的に利用することができる。
【００１７】
移動刃物固定部３４は、移動刃物３０の下辺（長辺の一方）が長辺方向に沿って撓まないように支持する。移動刃物固定部３４は、移動ベース３６に固定される。移動ベース３６は、移動刃物３０を、固定刃物３２に向けて移動させるための部材であり、弾性部材４２を介して、固定ベース４０に取り付けられる。弾性部材４２は、例えば、スプリング等の部材とすることができる。また、移動ベース３６は、ユーザが移動刃物３０に直接触れることなく、移動刃物３０を固定刃物３２に向けて押圧するための把持部としても機能する。なお、移動ベース３６と固定ベース４０との相対的移動をスムーズに行うために、移動方向を規定するためのガイド手段等を設けることも好適である。
【００１８】
固定刃物３２は、長辺及び短辺を有する略短冊型の板状の部材である。固定刃物３２は、その刃先３２ａに移動刃物３０の刃先３０ａが押し付けられることによって、固定刃物３２と移動刃物３０との間に置かれたシート状部材Ｗをせん断するための部材である。固定刃物３２は、長辺の一方（図１の紙面奥側）を刃先３２ａとし、長辺の他方（図１の紙面手前側）に沿って固定刃物固定部３８の上部に寝かせて固定される。このとき、図２に示すように、刃先３２ａが固定刃物固定部３８から移動刃物３０側（図１の紙面奥側）へ突出するように固定される。
【００１９】
固定刃物３２を構成する材料は、固定刃物固定部３８に剛性をもって取り付けられればよく、薄い弾性のある板状部材とすることができる。例えば、固定刃物３２は、硬質のステンレスや安価な焼入れ鋼帯で構成することができる。薄い弾性のある部材でなく、剛性のある部材としてもよい。例えば、焼入れした鋼鉄で構成してもよい。また、固定刃物３２の刃先３２ａは、移動刃物３０の刃先３０ａが当たって切断した後、刃先３０ａが当たらないように下に向かって逃げ角を設けている。例えば、１０°程度の逃げ角を設けることが好ましい。
【００２０】
移動刃物３０は、図１に示すように、その刃先３０ａの切り始め側（図１中の左側）が切り終り側（図１中の右側）より固定刃物３２に近くなるように、水平方向に固定されている固定刃物３２の刃先３２ａに対して角度θだけ傾斜させて移動刃物固定部３４に取り付けられる。
【００２１】
また、移動刃物３０は、図２に示すように、その刃先３０ａが固定刃物３２の刃先３２ａに対して押し付けられるように鉛直方向に対して角度φだけ傾斜させて移動ベース３６に取り付けられる。このとき、移動刃物３０を短辺方向に沿って弾性を有する板状部材で構成することによって、移動刃物３０自体の短辺方向に沿った撓みによって生ずる弾性力によって移動刃物３０が固定刃物３２の刃先３２ａに押し付けられる。
【００２２】
なお、移動刃物３０の刃先３０ａの切り始め側（図１中の左側）には、固定刃物３２の刃先３２ａに対するガイド３０ｂを設けることが好適である。ガイド３０ｂは、移動刃物３０から固定刃物３２側へ突出する板状の突起であり、移動ベース３６を固定刃物３２から最大限に離した状態においても固定刃物３２の刃先３２ａに当接した状態を維持するように設けられる。ガイド３０ｂは、固定刃物３２側に設けてもよい。
【００２３】
このような構成において、移動ベース３６を固定刃物３２側へと押し下げることによって、ガイド３０ｂによって移動刃物３０の刃先３０ａは固定刃物３２の刃先３２ａに当接するようにガイドされ、移動刃物３０の刃先３０ａの切り始め側から切り終り側に向かって固定刃物３２の刃先３２ａに順次押し当てられる。これによって、移動刃物３０と固定刃物３２との間に置かれたシート状部材Ｗがせん断される。
【００２４】
図３下図は正面から移動刃物３０及び固定刃物３２をみた図であり、図３上図はラインＢ−Ｂ，Ｃ−Ｃ，Ｄ−Ｄにおける移動刃物３０と固定刃物３２との接触状態を示す図である。図３は、移動刃物３０の刃先３０ａの切り始め側からせん断が始まり、ラインＤ−Ｄまで進行している状態を表している。
【００２５】
ラインＤ−Ｄでは、移動刃物３０が短辺方向にδほど撓んでその刃先３０ａが固定刃物３２の刃先３２ａに押し付けられて接触しており、ラインＣ−Ｃでは移動刃物３０の撓みがほとんど無くなった状態であり、ラインＢ−Ｂでは移動刃物３０と固定刃物３２とが接触していない状態となっている。ラインＣ−ＣからラインＤ−Ｄまでの間では、移動刃物３０は固定刃物３２に圧接されるが、その撓み量はラインＤ−Ｄのせん断箇所において最も大きくなる。このように、シート状部材Ｗをせん断する部分において移動刃物３０の刃先３０ａと固定刃物３２の刃先３２ａとの接触圧力が最大となり、強いせん断力を得ることができる。
【００２６】
なお、本実施の形態では、固定刃物３２は水平方向に向けて寝かせて配置する構成としたが、図４の側面図に示すように、固定刃物３２を鉛直方向に立てて配置させる構成としてもよい。この場合も、移動刃物３０自体の短辺方向の弾性力を利用して、移動刃物３０と固定刃物３２とが接触するようにすればよい。
【００２７】
また、本実施の形態では、移動刃物３０を弾性を有する部材としたが、固定刃物３２を弾性を有する部材としてもよい。
【００２８】
以上のように、従来のシート状部材用カッターとは異なり、スプリングや板バネ等の弾性部材により移動刃物を固定刃物に押し付けることなく、移動刃物自体の弾性力を利用して固定刃物に対する押し付けを行うことによって、装置を構成する部材点数を低減させることができ、装置の製造コストを下げることができる。また、移動刃物の交換を行う際の作業工程が簡素化でき、保守・点検等がより容易となる。
【００２９】
特に、移動刃物及び固定刃物の両方に焼入れ鋼鉄を研磨加工した刃物を用いるのが主流であるが、本実施の形態では、移動刃物３０及び固定刃物３２に安価な焼入れ鋼帯が使用でき、刃物のコストを１／１０〜１／１００に低減できる。シート状部材用カッターでは、全体の価格に占める刃物の価格の割合が大きいので、構成の簡素化と合わせて、従来より非常に安価にすることができる。さらに、剛性のある移動刃物では、刃の歪等で薄い切断物を途中から切断できなくなるおそれがあり、移動刃物を切断する方向と直角の方向で切断後逃げるような工夫を必ず必要とするが、本実施の形態ではそのような工夫は必要がない。例えば、鋏等では、曲げられて刃の凹状になった側を互いに向かい合わせて、切断後に互いに逃げるように工夫しているが、本実施の形態ではこのような工夫が必要ない。なお、図５（ａ）では、移動刃物１０の刃先１０ａの両端は、固定刃物１２の刃先１２ａに対して極わずかな角度を付けている。
【符号の説明】
【００３０】
１０  移動刃物、１０ａ  刃先、１０ｂ  支軸、１２  固定刃物、１２ａ  刃先、１２ｂ  ガイド部、１４  移動ベース、１６  スプリング、１８  板バネ、３０  移動刃物、３０ａ  刃先、３０ｂ  ガイド、３２  固定刃物、３２ａ  刃先、３４  移動刃物固定部、３６  移動ベース、３８  固定刃物固定部、４０  固定ベース、４２  弾性部材、１００，２００  シート状部材用カッター。
【図１】
2011161786.tif 000003
【図２】
2011161786.tif 000004
【図３】
2011161786.tif 000005
【図４】
2011161786.tif 000006
【図５】
2011161786.tif 000007
【図６】
2011161786.tif 000008
【図７】
2011161786.tif 000009
【手続補正書】
【提出日】平成23年1月24日(2011.1.24)
【手続補正１】
【補正対象書類名】特許請求の範囲
【補正対象項目名】全文
【補正方法】変更
【補正の内容】
【特許請求の範囲】
【請求項１】
一方の刃物の刃先が他方の刃物の刃先に対して傾斜するように相対向して配置された移動刃物及び固定刃物と、
前記移動刃物が固定され、前記移動刃物を前記固定刃物に対して相対的に移動させる移動ベースと、を備え、
前記移動刃物は、焼入れ鋼帯であり、短辺方向に沿った弾性力によって前記固定刃物に押し付けられており、前記移動ベースによって前記固定刃物に向かって移動させられることにより、前記固定刃物との間に置かれたシート状部材をせん断することを特徴とするシート状部材用カッター。
【請求項２】
請求項１に記載のシート状部材用カッターであって、
前記移動刃物は、長辺方向に亘って前記移動ベースに固定されていることを特徴とするシート状部材用カッター。
【請求項３】
請求項１又は２に記載のシート状部材用カッターであって、
前記移動刃物の厚みは、０．１ｍｍ以上１ｍｍ以下であることを特徴とするシート状部材用カッター。
【国際調査報告】
2011161786.tif 000010
2011161786.tif 000011
2011161786.tif 000012
2011161786.tif 000013